(57)【要約】【課題】　感光ドラムの表面に形成されたトナー像のトナーが別の色の現像ロールの表面に逆移行して各色の現像器が相互に汚染される交差汚染を防止する。【解決手段】　固定された複数の色別の現像器Ｙ，Ｃ，Ｍ，Ｋから感光ドラムへとトナーが移行できるように，現像バイアスを現像器の現像ロール軸ＲＹ，ＲＣ，ＲＭ，ＲＫに提供する現像バイアス電源部１４２と，現像バイアス電源部から供給される現像バイアスが色別の現像器の各々に選択的に印加されるように印刷画像に応じたバイアス駆動信号を選択的に出力する現像バイアス駆動部１４４と，現像バイアス駆動部から出力されるバイアス駆動信号に応答して現像バイアス電源部からの電源を色別の現像器に各々スイッチングする現像器別の電源スイッチＳＹ，ＳＣ，ＳＭ，ＳＫと，電源スイッチにより現像バイアスを供給された現像器以外の残りの現像器に対し所定の直流電源を供給する直流電源供給部１４６とを設けた。【選択図】　　図６
2004133458.tif 000002
【特許請求の範囲】
【請求項１】
　固定された複数の色別の現像器から感光ドラムへとトナーが移行できるように，現像バイアスを現像器の現像ロール軸に提供する現像バイアス電源部と，
　前記現像バイアス電源部から供給される現像バイアスが前記色別の現像器の各々に選択的に印加されるように印刷画像に応じたバイアス駆動信号を選択的に出力する現像バイアス駆動部と，
　前記現像バイアス駆動部から出力されるバイアス駆動信号に応答して前記現像バイアス電源部からの電源を前記色別の現像器に各々スイッチングする現像器別の電源スイッチと，
　前記電源スイッチにより現像バイアスを供給された現像器以外の残りの現像器に対し所定の直流電源を供給する直流電源供給部と，
　を含むことを特徴とする現像バイアス供給装置。
【請求項２】
　前記現像バイアス電源部は，直流電圧と交流電圧とが重畳された電源を現像バイアスとして提供することを特徴とする請求項１に記載の現像バイアス供給装置。
【請求項３】
　前記直流電源供給部は，
　所定の直流電源を提供する直流電源部，及び
　前記現像バイアス電源部から提供された現像バイアスが現像動作が選択された現像器に印加される時，前記直流電源部から出力された所定の直流電源を現像動作が選択されていない現像器に供給できるように前記直流電源部と前記各色別の現像器の間に連結された抵抗素子とを含むことを特徴とする請求項２に記載の現像バイアス供給装置。
【請求項４】
　前記直流電源部は，前記トナーが負の極性を有するトナーである場合は負の電圧を提供し，前記トナーが正の極性を有するトナーである場合は正の電圧を提供することを特徴とする請求項３に記載の現像バイアス供給装置。
【請求項５】
　固定された複数の色別の現像器から感光ドラムへとトナーが移行できるように，現像バイアスを現像器の現像ロール軸に提供する現像バイアス電源部と，
　前記現像バイアス電源部から供給される現像バイアスが前記色別の現像器の各々に選択的に印加されるように印刷画像に応じたバイアス駆動信号を選択的に出力する現像バイアス駆動部と，
　前記現像バイアス駆動部から出力されるバイアス駆動信号に応答して前記現像バイアス電源部からの電源を前記色別の現像器に各々スイッチングする現像器別の電源スイッチと，
　前記電源スイッチにより現像バイアスを供給された現像器以外の残りの現像器に対し前記現像バイアスを分圧して供給する分圧器と，
　を含むことを特徴とする現像バイアス供給装置。
【請求項６】
　前記現像バイアス電源部は，直流電圧と交流電圧とが重畳された電源を現像バイアスとして供給することを特徴とする請求項５に記載の現像バイアス供給装置。
【請求項７】
　前記現像バイアスの直流電圧のレベルは，前記トナーが負の極性を有するトナーである場合は負の極性に設定され，正の極性を有するトナーである場合は正の極性に設定されることを特徴とする請求項６に記載の現像バイアス供給装置。
【請求項８】
　前記分圧器は，現像動作が選択された現像器と現像動作が選択されていない各現像器間に連結された抵抗素子により現像バイアスを分圧することを特徴とする請求項７に記載の現像バイアス供給装置。
【請求項９】
　前記抵抗素子の抵抗値は，少なくとも，前記感光ドラムと前記各現像器との間に形成される所定の現像ギャップにおけるキャパシタンス及び前記感光ドラム自体のキャパシタンス，により形成されるインピーダンスに応じて決定されることを特徴とする請求項８に記載の現像バイアス供給装置。
【請求項１０】
　請求項１〜９のいずれかに記載の現像バイアス供給装置を備えたことを特徴とする画像形成装置。
【発明の詳細な説明】
【技術分野】
【０００１】
　本発明は，現像バイアス供給装置及び画像形成装置にかかり，さらに詳しくは非接触式現像器固定型の現像器に設けられる現像バイアス供給装置及び画像形成装置に関する。
【背景技術】
【０００２】
　レーザープリンタなどの電子写真方式画像形成装置は，印刷媒体に印刷画像が再現できるように設計された装置であって，騒音が低く，速度が速いという長所を有する。かかる電子写真方式画像形成装置は，通常，帯電−露光−現像−転写−定着−クリーニング−除電の過程を順次に行ないながら印刷媒体に印刷を行い，このために，各種の機構的メカニズム及び電気回路が設けられる。
【０００３】
　従来の電子写真方式画像形成装置としては，例えば図１に示すような現像器移動型カラーレーザープリンタがある。図１は，従来の現像器移動型カラーレーザープリンタの構造を概略的に示す図である。現像器移動型レーザープリンタは，感光ドラム１０，帯電ユニット２０，ＬＳＵ（光走査装置：Ｌａｓｅｒ　Ｓｃａｎｎｉｎｇ　Ｕｎｉｔ）３０，現像ユニット４０，転写ユニット５０，及びクリーニングユニット６０を具備する。また，レーザープリンタは，他にも図示していない定着ユニット，除電ユニット，電源供給ユニット，バイアス供給ユニット，及びエンジン制御装置等を含む。
【０００４】
　帯電ユニット２０は，感光ドラム１０の表面にバイアスを供給し，感光ドラム１０の表面が負電荷（−）または正電荷（＋）を有するように帯電させる。
【０００５】
　ＬＳＵ３０は，印刷画像に対応したレーザー光を感光ドラム１０の表面に走査し，帯電されたドラムの表面に静電潜像を形成する。
【０００６】
　現像ユニット４０には，色別の現像器が設けられ，これらの現像器はＬＳＵ３０により静電潜像が形成された感光ドラム１０の表面にトナーを供給する。
【０００７】
　転写ユニット５０には，転写ベルト５０及びこの転写ベルト５０を搬送する搬送手段が設けられ，転写ユニット５０は感光ドラム１０に形成されたトナー像を印刷媒体に転写する。
【０００８】
　そして，クリーニングユニット６０は，ドラム１０の表面及び転写ベルト５０の表面の各々に隣接して配され，ドラム１０の表面及び転写ベルト５０に付着している残留トナーを掻き取る。
【０００９】
　このようなレーザープリンタは，印刷媒体にカラー画像を再現するために，帯電ユニット２０により感光ドラム１０を帯電させ，ＬＳＵ３０により帯電された感光ドラム１０の表面に印刷画像に基づいたレーザービームを走査することにより，感光ドラム１０の表面に静電潜像を形成する。そして，現像ユニット４０の各色別の現像器（Ｋ，Ｍ，Ｃ，Ｙ：ブラック，マゼンタ，シアン，イエロー）からトナーが感光ドラム１０の表面に移行され，これにより感光ドラム１０の表面にトナー像が形成される。このとき，各色別の現像器（Ｋ，Ｍ，Ｃ，Ｙ）は，感光ドラム１０から所定の距離だけ離隔された状態が基準位置となっており，印刷時においては，現像しようとする色の現像器だけが現像器の駆動ユニットにより感光ドラム１０に向かって移動する。そして，感光ドラム１０と所定の現像ギャップ（隙間）を保持しつつ，印加された電圧により現像を行なう。以後，感光ドラム１０の表面に形成されたトナー像が転写ベルト５０の表面に転写され，転写ベルト５０に転写されたトナー像は，更にプリンタ内を搬送される印刷媒体に転写される。印刷媒体に転写されたトナー像は，図示しない定着ユニットにより定着されて機器の外部に排出される。この際，転写ベルト５０と感光ドラム１０は，次に形成される印刷画像に対応すべく，その表面に付着している残留トナーがクリーニングユニットのブレード６０により各々掻き取られる。そして，クリーニング過程が完了すると，感光ドラム１０の表面に存在する電荷を除電することにより感光ドラム１０は初期状態に戻る。
【００１０】
　前述したような現像器移動型非接触式カラーレーザープリンタの印刷過程におけるトナー像の現像は，各色別現像トナー，即ち，Ｙ（Ｙｅｌｌｏｗ），Ｍ（Ｍａｇｅｎｔａ），Ｃ（Ｃｙａｎ），Ｋ（Ｂｌａｃｋ）トナーが画像データの色特性に応じて順次に感光ドラム１０の表面に移行することにより行われる。
【００１１】
　また，感光ドラム１０の表面に形成されたトナー像が印刷媒体に転写される過程においては，ある色のトナー像が感光ドラム１０の表面に形成されると当該トナー像はその都度転写ベルト５０に転写され，このように各色のトナー像を順次転写ベルト５０に重ねて転写することにより，複数色のトナー像が転写ベルト５０に形成される。この転写ベルト５０上に形成された複数色トナー像は，印刷媒体に一括して転写される。従って，一つのカラーイメージを印刷するためには，感光ドラム１０と転写ベルト５０は，各々４回，回転を行なう。
【００１２】
　しかし，前述したような現像器移動型非接触現像方式を用いるレーザープリンタでは，現像器が感光ドラム１０の方向に移動する時は，感光ドラム１０に例えば振動などの衝撃が加えられるために感光ドラム１０の回転速度が低下し，現像器が感光ドラム１０から分離する時は，感光ドラム１０の回転速度が増大するために印刷媒体に感光ドラム１０の回転速度の変化によるベンディング（曲げ）が発生し，その結果画質が劣化するという不具合があった。
【００１３】
　このような，現像器移動型非接触式レーザープリンタにおける，現像器の移動による感光ドラムの速度変化によって生じる画質の劣化を解決するために，現像器を移動させずに感光ドラムと所定の現像ギャップ（隙間）を保持しつつ現像を行なう，現像器固定型非接触式レーザープリンタが開発された。
【００１４】
　現像器固定型非接触式レーザープリンタは，全ての現像器が各々感光ドラムと所定の現像ギャップ（ｄＡ）を保持しつつ，現像器が移動することなく現像を行なう。そして，各現像器に供給される現像バイアスは，機械的な接点を用いることによりオン／オフ（断続）される。
【００１５】
　図２は，従来の現像器固定型非接触式カラーレーザープリンタの現像バイアス供給装置を示す回路図である。現像バイアス供給装置は，固定された色別の現像器の各々から感光ドラムへのトナーの移行ができるようにバイアスを供給する現像バイアス電源部（ＨＶＰＳ）４２と，現像バイアス電源部４２からの現像バイアスを印刷画像に基づいて各色別の現像器（Ｙ，Ｃ，Ｍ，Ｋ）に印加されるように色別バイアス駆動信号を選択的に出力する現像バイアス駆動部４４と，現像バイアス駆動部４４からの色別バイアス駆動信号に応答して現像バイアス電源部４２からの電源を色別の現像器（Ｙ，Ｃ，Ｍ，Ｋ）にスイッチングして供給するソレノイド電源スイッチＳＹ，ＳＣ，ＳＭ，ＳＫとを具備する。図面において，‘Ｒ＊’は，各色別の現像器に設けられる現像ロールのメタル軸を示し，‘ＣＡ＊’は，各色別の現像器と感光ドラムとの間に形成される所定の現像ギャップ（隙間）における静電容量を示し，‘ＣＰ’は，誘電体である感光ドラムの静電容量を示す。
【００１６】
　非接触式カラーレーザープリンタにおいて現像を行なうためには，電界が現像ギャップに反比例して減少するため，現像バイアスとして直流（ＤＣ）電圧に交流（ＡＣ）電圧を重畳した電源を供給することでトナーを効率的に現像ロールから感光ドラムへと移行させて現像能力を高めることができる。このようにしてＡＣバイアス（ＶＡＣ）を重畳させて印加したとき，トナーが移行される方向は，現像バイアスのＤＣ成分から感光ドラムの表面の電位を差し引いた電圧である現像ベクトルにより決められる。従って，負（−）の極性のトナーを使用する場合，現像ベクトルが負の極性となるときには，現像ロールのトナーは感光ドラムへと移行され，現像ベクトルが正（＋）の極性となるときには，現像ロールのトナーは感光ドラムへ移行されない。
【００１７】
　図３は直流電圧に交流電圧を重畳した時の電圧波形を示し，図４は直流電圧に交流電圧を重畳した時の電界波形を示す図である。図３において，Ｖａは現像ベクトル，Ｖｐは感光ドラムの表面電位，Ｖｒは導電性の現像ロールの両端電圧，Ｖａｃ＋Ｖｄｃは現像バイアスを表わす。
【００１８】
　図３において，現像ベクトルＶａが正の極性であるときは，トナーは感光ドラムに移行せず現像ロールの表面に残留する。そして，現像ベクトルＶａが負の極性であるときは，現像電界が感光ドラムの方向に向かう成分が相対的に大きくなるので，トナーは感光ドラムへと移行する。
【発明の開示】
【発明が解決しようとする課題】
【００１９】
　しかし，前述したような現像器固定型非接触式レーザープリンタにおいては，ある色のトナーが別の色の現像器の現像ローラに付着することにより，画質が劣化するという問題があった。以下に，その現象について説明する。
【００２０】
　上述したような現像器固定型非接触式レーザープリンタにおいては，ある色の現像器に現像バイアスが印加されて当該カラーの現像が行われているとき，残りの色の現像器には現像バイアスは印加されない。このように現像バイアスが印加されていない現像器は，現像ロールのメタル軸がフローティング状態となっているため，現像ロールの表面の電荷及び周辺から電荷が誘起され，メタル軸の電位が定まらずに非常に不安定な状態となっている。従って，感光ドラムの表面に既に他色のトナー像が形成されている状態において現像ベクトルが正の極性になると，図５に示すように，前の色の現像器により感光ドラムの表面に形成されたトナー像のトナーが別の色の現像ロールの表面に逆移行して各色の現像器が相互に汚染される交差汚染（Ｃｒｏｓｓ−Ｃｏｎｔａｍｉｎａｔｉｏｎ）が発生するという不具合があった。このような交差汚染は，像の色相の変化につながり，画質を劣化させる原因となっていた。
【００２１】
　そこで，本発明は，このような問題に鑑みてなされたもので，その目的とするところは，現像動作を行なわない現像器の各々の現像ロールメタル軸の電位を安定して保持することにより，感光ドラムの表面に形成されたトナー像のトナーが別の色の現像ロールの表面に逆移行して各色の現像器が相互に汚染される交差汚染を防止して，高画質の印刷を可能にする非接触式現像器固定型の現像器に設けられる現像バイアス供給装置及び画像形成装置を提供することにある。
【課題を解決するための手段】
【００２２】
　上記課題を解決するために，本発明のある観点によれば，固定された複数の色別の現像器から感光ドラムへとトナーが移行できるように，現像バイアスを現像器の現像ロール軸に提供する現像バイアス電源部と，この現像バイアス電源部から供給される現像バイアスが上記色別の現像器の各々に選択的に印加されるように印刷画像に応じたバイアス駆動信号を選択的に出力する現像バイアス駆動部と，この現像バイアス駆動部から出力されるバイアス駆動信号に応答して上記現像バイアス電源部からの電源を上記色別の現像器に各々スイッチングする現像器別の電源スイッチと，この電源スイッチにより現像バイアスを供給された現像器以外の残りの現像器に対し所定の直流電源を供給する直流電源供給部と，を含むことを特徴とする現像バイアス供給装置が提供される。
【００２３】
　このような本発明にかかる現像バイアス供給装置によれば，現像動作を行なわない現像器の各々の現像ロールメタル軸に対し，直流電源供給部が所定の直流電源を供給することにより，現像動作を行なわない現像器の各々の現像ロールメタル軸の電位を安定して保持することができ，これにより，感光ドラムの表面に形成されたトナー像のトナーが現像動作を行っていない別の色の現像ロールの表面に逆移行して各色の現像器が相互に汚染される交差汚染を防止することができる。
【００２４】
　このとき，上記現像バイアス電源部は，直流電圧と交流電圧とが重畳された電源を現像バイアスとして提供するようにすれば，トナーを効率的に現像ロールから感光ドラムへと移行させて現像能力を高めることができる。
【００２５】
　そして，上記直流電源供給部は，所定の直流電源を提供する直流電源部，及び上記現像バイアス電源部から提供された現像バイアスが現像動作が選択された現像器に印加される時，上記直流電源部から出力された所定の直流電源を現像動作が選択されていない現像器に供給できるように上記直流電源部と上記各色別の現像器の間に連結された抵抗素子とを含むように構成されることが望ましい。
【００２６】
　また，上記直流電源部は，上記トナーが負の極性を有するトナーである場合は負の電圧を提供し，上記トナーが正の極性を有するトナーである場合は正の電圧を提供するようにすれば，本発明にかかる現像バイアス供給装置を，負帯電の現像剤を用いる現像器及び正帯電の現像剤を用いる現像器のいずれにも適用することができる。
【００２７】
　上記課題を解決するために，本発明の別の観点によれば，固定された複数の色別の現像器から感光ドラムへとトナーが移行できるように，現像バイアスを現像器の現像ロール軸に提供する現像バイアス電源部と，この現像バイアス電源部から供給される現像バイアスが上記色別の現像器の各々に選択的に印加されるように印刷画像に応じたバイアス駆動信号を選択的に出力する現像バイアス駆動部と，この現像バイアス駆動部から出力されるバイアス駆動信号に応答して上記現像バイアス電源部からの電源を上記色別の現像器に各々スイッチングする現像器別の電源スイッチと，この電源スイッチにより現像バイアスを供給された現像器以外の残りの現像器に対し上記現像バイアスを分圧して供給する分圧器と，を含むことを特徴とする現像バイアス供給装置が提供される。
【００２８】
　このような本発明にかかる現像バイアス供給装置によれば，現像動作を行なわない現像器の各々の現像ロールメタル軸に対し，分圧器が上記現像バイアスを分圧して供給することにより，現像動作を行なわない現像器の各々の現像ロールメタル軸の電位を安定して保持することができ，これにより，感光ドラムの表面に形成されたトナー像のトナーが現像動作を行っていない別の色の現像ロールの表面に逆移行して各色の現像器が相互に汚染される交差汚染を防止することができる。
【００２９】
　このとき，上記現像バイアス電源部は，直流電圧と交流電圧とが重畳された電源を現像バイアスとして供給するようにすれば，トナーを効率的に現像ロールから感光ドラムへと移行させて現像能力を高めることができる。
【００３０】
　また，上記現像バイアスの直流電圧のレベルは，トナーが負の極性を有するトナーである場合は負の極性に設定され，正の極性を有するトナーである場合は正の極性に設定されるようにすれば，本発明にかかる現像バイアス供給装置を，負帯電の現像剤を用いる現像器及び正帯電の現像剤を用いる現像器のいずれにも適用することができる。
【００３１】
　また，上記分圧器は，現像動作が選択された現像器と現像動作が選択されていない各現像器間に連結された抵抗素子により現像バイアスを分圧するように構成されることが望ましい。
【００３２】
　このとき，上記抵抗素子の抵抗値は，少なくとも，上記感光ドラムと上記各現像器との間に形成される所定の現像ギャップにおけるキャパシタンス及び上記感光ドラム自体のキャパシタンス，により形成されるインピーダンスに応じて決定されるようにすることが望ましい。
【００３３】
　上記課題を解決するために，本発明の別の観点によれば，請求項１〜９のいずれかに記載の現像バイアス供給装置を備えたことを特徴とする画像形成装置が提供される。
【００３４】
　このような本発明にかかる画像形成装置によれば，現像動作を行なわない現像器の各々の現像ロールメタル軸に対して電圧を供給することにより，現像動作を行なわない現像器の各々の現像ロールメタル軸の電位を安定して保持することができ，これにより，感光ドラムの表面に形成されたトナー像のトナーが現像動作を行っていない別の色の現像ロールの表面に逆移行して各色の現像器が相互に汚染される交差汚染を防止することができ，その結果，画像品質の高い印刷結果を得ることができる。
【発明の効果】
【００３５】
　本発明によれば，ある色の現像器が現像を行っているときに，現像動作が選択されていない残りの現像器の現像ロールメタル軸にトナーの極性に応じた適宜の直流（ＤＣ）電圧を印加する直流（ＤＣ）電源部を設けることにより，感光ドラムの表面と現像動作が選択されていない現像器との間に生じる電界（現像ベクトル）を減少させることができるため，前の色の現像動作の際に感光ドラムの表面に移行されたトナーが，現像動作が選択されていない残りの現像器に付着する交差汚染を防止し，高画質の印刷を行なうことができる現像バイアス供給装置を提供できるものである。
【発明を実施するための最良の形態】
【００３６】
　以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３７】
　図６は，本発明の第１の実施の形態にかかる現像バイアス供給装置の回路図である。第１の実施の形態にかかる現像バイアス供給装置は，現像バイアス電源部１４２と，現像バイアス駆動部１４４と，現像器別に設けられる電源スイッチとしてのソレノイド電源スイッチＳＹ，ＳＣ，ＳＭ，ＳＫと，ＤＣ電源供給部（直流電源供給部）１４６とを含む。図中における，Ｙ，Ｃ，Ｍ，Ｋ（Ｙｅｌｌｏｗ：イエロー，Ｃｙａｎ：シアン，Ｍａｇｅｎｔａ：マゼンタ，Ｂｌａｃｋ：ブラック）は各色別の現像器を示し，‘Ｒ＊’は各色別の現像器に設けられる現像ロールのメタル軸を示し，‘ＣＡ＊’は各色別の現像器と感光ドラムとの間に形成される所定の現像ギャップ（隙間）における静電容量を示し，‘ＣＰ’は，誘電体である感光ドラムの静電容量を示す。
【００３８】
　現像バイアス電源部１４２は，固定されたＹ，Ｃ，Ｍ，Ｋ現像器の各々から感光ドラムへとトナーが移行するように，各現像器の現像ロール軸ＲＹ，ＲＣ，ＲＭ，ＲＫに交流（ＡＣ）電源（ＶＡＣ）と直流（ＤＣ）電源（ＶＤＣ）とが重畳された現像バイアスを提供する。
【００３９】
　現像バイアス駆動部１４４は，現像バイアス電源部１４２から供給される現像バイアスがＹ，Ｃ，Ｍ，Ｋの現像器の各々に選択的に印加されるように，印刷画像に基づいたバイアス駆動信号としてのソレノイド駆動信号を現像器別に選択的に出力する。
【００４０】
　現像器別の電源スイッチ（ソレノイド電源スイッチ）ＳＹ，ＳＣ，ＳＭ，ＳＫは，現像バイアス駆動部１４４から出力された現像器別のバイアス駆動信号（ソレノイド駆動信号）に応答してオン／オフ（機械的な接点が断続）され，現像バイアス電源部１４２からの現像バイアスを各現像器Ｙ，Ｃ，Ｍ，Ｋの現像ロール軸ＲＹ，ＲＣ，ＲＭ，ＲＫにスイッチングして伝達する。
【００４１】
　ＤＣ電源供給部（直流電源供給部）１４６は，所定のＤＣ電源（直流電源）（ＶＤＣ１）を提供する第１のＤＣ電源部（直流電源部）１４６−１，及び第１のＤＣ電源部１４６−１と各色別の現像器Ｙ，Ｃ，Ｍ，Ｋとの間にそれぞれ連結される複数の抵抗素子Ｒを含む。ＤＣ電源供給部１４６は，現像動作が選択された現像器に現像バイアス電源部１４２からの現像バイアスが印加される時，現像動作が選択されていない残りの現像器に対して所定のＤＣ電源（ＶＤＣ１）を供給する。
【００４２】
　前述したような，第１の実施形態にかかる現像バイアス供給装置の作用について以下に説明する。前述した現像バイアス供給装置においては，先ず，現像バイアス駆動部１４４が，４つのソレノイド電源スイッチＳＹ，ＳＣ，ＳＭ，ＳＫのうちのいずれか１つがオンとなる（機械的接点が連結される）ように，ソレノイド駆動信号を選択的に出力する。すると，選択的に出力されたソレノイド駆動信号に対応するソレノイド電源スイッチがオンになり（機械的接点が連結され），選択された現像器に現像バイアスが印加される。このとき，選択されていない現像器の現像ロールメタル軸には，第１のＤＣ電源部１４６−１からのＤＣ電源（ＶＤＣ１）が印加される。
【００４３】
　例えば，トナーが負の極性を有し，印刷画像のイエロー色を現像する場合においては，現像バイアス駆動部１１４はイエロー色現像器Ｙに対応するソレノイド電源スイッチＳＹにソレノイド駆動信号を出力する。すると，イエロー色のソレノイド電源スイッチＳＹは機械的接点が連結され，現像バイアス電源部１４２から出力された現像バイアスをイエロー色の現像ロールメタル軸ＲＹに供給するようにスイッチングする。この時，第１の電源部１４６−１からは，負のＤＣ電源（ＶＤＣ１）が，Ｃ，Ｍ，Ｋの現像器の各々に印加される。
【００４４】
　このように負の電圧を有するＤＣ電源（ＶＤＣ１）が，選択されていない残りの３つの現像器の現像ロールメタル軸ＲＣ，ＲＭ，ＲＫにそれぞれ印加されると，これらＲＣ，ＲＭ，ＲＫメタル軸のフローティング状態は解消され，メタル軸ＲＣ，ＲＭ，ＲＫの電位は印加されたＤＣ電源（ＶＤＣ１）レベルに安定化する。これにより，感光ドラムの表面と各現像器との間の現像ベクトルは減少し，前の色の現像器により感光ドラムに形成されたトナー像のトナーが現像動作が選択されていない現像器へ移行することはなくなる。
【００４５】
　また，トナーが正の極性を有する場合は，第１のＤＣ電源部１４６−１は正の電圧を出力するように設定され，この場合，現像動作が選択されていない現像器には各々正の電圧が供給される。
【００４６】
　図７は，本発明の第２の実施の形態にかかる現像バイアス供給装置の回路図である。第２の実施の形態にかかる現像バイアス供給装置は，現像バイアス電源部２４２と，現像バイアス駆動部２４４と，現像器別に設けられる電源スイッチとしてのソレノイド電源スイッチＳＹ，ＳＣ，ＳＭ，ＳＫと，分圧器２４６とを含む。
【００４７】
　第２の実施の形態にかかる現像バイアス供給装置は，図６に示した第１の実施の形態にかかる現像バイアス供給装置が，選択されていない色の現像ロールメタル軸に別のＤＣ電源部からＤＣ電源を供給するのに対し，直流（ＤＣ）電圧（ＶＤＣ）と交流（ＡＣ）電圧（ＶＡＣ）とが重畳された現像バイアスを用いて，選択されていない色の現像ロールメタル軸に自己バイアス（セルフバイアス：Ｓｅｌｆ　Ｂｉａｓｅｄ）電圧が印加されるように，分圧器２４６を有して構成される。即ち，選択されていない色の現像ロールメタル軸の各々には，分圧器２４６により分圧された電圧が２つの抵抗素子Ｒを介して印加される。ここで，抵抗素子Ｒの抵抗値は，適宜のセルフバイアス電圧を得るために，現像器のインピーダンス，例えば，現像ロール，現像ギャップにおけるキャパシタンス（静電容量），感光ドラムのキャパシタンス（静電容量）等により形成されるインピーダンスを考慮して決定される。
【００４８】
　前述したような，第２の実施形態にかかる現像バイアス供給装置において，ＤＣ電圧とＡＣ電圧とが重畳された現像バイアスのＤＣレベル（直流電圧のレベル）（ＶＤＣ）は，トナーが負の極性を有する場合は負の電圧を提供するように設定され，正の極性を有する場合は正の電圧を提供するように設定される。これにより，選択されていない色の現像器に供給されるセルフバイアス電圧は，トナーが負の極性を有する場合は負のレベルの電位，トナーが正の極性を有する場合は正のレベルの電位と，トナーの極性と正負が一致する電圧が印加されるようになるため，感光ドラムの表面と各現像器との間の現像ベクトルは図６の第１の実施の形態と同様に減少し，感光ドラムに付着している別の色のトナーが現像動作が選択されていない現像器へ移行することはなくなる。
【００４９】
　なお，本発明の実施の形態においては，非接触式現像器固定型カラーレーザープリンタに設けられる現像バイアス供給装置について述べたが，必ずしもこれに限定されるものではなく，非接触式現像器固定型の現像器を有する他の電子写真方式画像形成装置，例えば複写機，ファクシミリ，複合機等に適用してもよい。
【００５０】
　以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００５１】
　本発明は，カラーレーザープリンタなどの電子写真方式画像形成装置に設けられる現像バイアス供給装置に適用可能であり，特に非接触式現像器固定型の現像器が設けられるカラーレーザープリンタなどの電子写真方式画像形成装置の現像バイアス供給装置に適用可能である。
【図面の簡単な説明】
【００５２】
【図１】従来の現像器移動型非接触式カラーレーザープリンタの構造を概略的に示す図である。
【図２】従来の現像器固定型非接触式カラーレーザープリンタの現像バイアス供給装置を示す回路図である。
【図３】直流電圧に交流電圧を重畳した現像バイアスを印加した際の電圧波形を示す図である
【図４】直流電圧に交流電圧を重畳した現像バイアスを印加した際の電界波形を示す図である。
【図５】現像器に他の色のトナーが付着する交差汚染を説明する図である。
【図６】本発明の第１の実施の形態に係る現像バイアス供給装置の回路図である。
【図７】本発明の第２の実施の形態に係る現像バイアス供給装置の回路図である。
【符号の説明】
【００５３】
　１０　　　　感光ドラム
　２０　　　　帯電ユニット
　３０　　　　光走査装置（ＬＳＵ）
　４０　　　　現像ユニット
　４２，１４２，２４２　現像バイアス電源部
　５０　　　　転写ユニット
　６０　　　　クリーニングユニット
　ＲＹ，ＲＣ，ＲＭ，ＲＫ　現像ロール
　ＳＹ，ＳＣ，ＳＭ，ＳＫ　電源スイッチ
　４４，１４４，２４４　　　現像バイアス駆動部
　１４６　　　ＤＣ電源供給部
　２４６　　　分圧器
【図１】
2004133458.tif 000003
【図２】
2004133458.tif 000004
【図３】
2004133458.tif 000005
【図４】
2004133458.tif 000006
【図５】
2004133458.tif 000007
【図６】
2004133458.tif 000008
【図７】
2004133458.tif 000009